(57)【特許請求の範囲】
【請求項１】
通信装置の第１の面上の搭載カメラレンズの光軸方向に見たときに、実質的に矩形の形状である前記通信装置に選択的に取り付け可能に構成されるレンズ部品であって、
チャネルを形成する２つの側壁を備えるリテーナ部分であって、前記側壁間の距離は、前記リテーナ部分が適合するように構成される通信装置のコーナー領域の部分の厚みに対応する、リテーナ部分、および、
前記リテーナ部分に取り付けられる複数のレンズであって、前記リテーナ部分は、前記複数のレンズのうちの１つを、前記通信装置の前記第１の面上の前記搭載カメラレンズの前方に配置して、前記複数のレンズのうちの別のレンズを、前記通信装置の前記第１の面と反対の前記通信装置の第２の面上に配置するように構成され、前記複数のレンズのうちのどちらを前記通信装置の前記搭載カメラの前方に配置するかをユーザが選択可能である、複数のレンズ、
を備えるレンズ部品。
【請求項２】
前記側壁間の前記距離は、前記レンズ部品が取り付けられるように構成される前記通信装置の前記一部の前記厚みよりもわずかに小さい、請求項１に記載のレンズ部品。
【請求項３】
前記２つの側壁は、前記レンズ部品が取り付けられるように構成される前記通信装置の表示画面の視界を妨げないように曲線の形状を有する、請求項１に記載のレンズ部品。
【請求項４】
前記リテーナ部分は、前記２つの側壁間に延びる上方壁を備え、前記上方壁は、前記レンズ部品が取り付けられるように構成される前記通信装置の前記コーナー領域の前記形状に適応するように曲線の形状を有する、請求項１に記載のレンズ部品。
【請求項５】
前記レンズ部品は、
前記通信装置上のノンストック・マウントを必要としないで、そして、前記リテーナ部分の動的なマウントを必要としないで、前記通信装置に取り付け可能である、請求項１に記載のレンズ部品。
【請求項６】
通信装置の第１の面上の搭載カメラレンズの光軸方向に見たときに、実質的に矩形の形状である前記通信装置に選択的に取り付け可能に構成されるレンズ部品であって、
第１の側壁および第２の側壁を備えるリテーナ部分であって、前記第１および第２の側壁は、チャネルを形成し、前記第１および第２の側壁間の距離は、前記リテーナ部分が適合するように構成される通信装置の厚みに適応するように構成され、前記リテーナ部分は、前記第１および第２の側壁間に延びる上方壁をさらに備え、前記上方壁は、２つの平行でない側部上で前記通信装置に接触する、リテーナ部分、および、
前記リテーナ部分に取り付けられる複数のレンズであって、前記リテーナ部分は、前記複数のレンズのうちの１つを、前記通信装置の前記第１の面上の前記搭載カメラレンズの前方に配置して、前記複数のレンズのうちの別のレンズを、前記通信装置の前記第１の面と反対の前記通信装置の第２の面上に配置するように構成され、前記複数のレンズのうちのどちらを前記通信装置の前記搭載カメラの前方に配置するかをユーザが選択可能である、複数のレンズ、
を備えるレンズ部品。
【請求項７】
前記上方壁は、前記通信装置の２つの直交する縁部に沿って前記通信装置に接触する、請求項６に記載のレンズ部品。
【請求項８】
少なくとも１つのレンズが前記リテーナ部分に着脱自在に取り付けられる、請求項６に記載のレンズ部品。
【請求項９】
前記レンズ部品は、前記リテーナ部分に着脱自在に取り付けられる少なくとも１つのレンズから独立して、前記通信装置に着脱自在に取り付けられるように構成される、請求項８に記載のレンズ部品。
【請求項１０】
少なくとも１つのレンズは、マクロレンズ、望遠レンズ、広角レンズ、魚眼レンズまたはマイクロスコピックレンズである、請求項６に記載のレンズ部品。
【請求項１１】
光強化部品をさらに備える、請求項６に記載のレンズ部品。
【請求項１２】
前記光強化部品は、前記通信装置のフラッシュ部品から前記通信装置の前方領域および前記レンズ部品の前方へ光を運ぶように構成される光パイプを備える、請求項１１に記載のレンズ部品。
【請求項１３】
少なくとも１つのレンズは、前記リテーナ部分に調整可能に取り付けられる、請求項６に記載のレンズ部品。
【請求項１４】
前記レンズ部品を人にキャリーされるアクセサリに接続するように構成される取り付け部品をさらに備える、請求項６に記載のレンズ部品。
【請求項１５】
レンズフードをさらに備える、請求項６に記載のレンズ部品。
【請求項１６】
通信装置の第１の面上の搭載カメラレンズの光軸方向に見たときに、実質的に矩形の形状である前記通信装置用の補助レンズを製造する方法であって、
リテーナを提供するステップであって、前記リテーナは、第１の側壁、第２の側壁、および上方壁を備え、前記第１および第２の側壁は、互いに実質的に平行であり、前記上方壁は、前記第１および第２の側壁間に延びて、前記第１および第２の側壁間の距離は、前記補助レンズが取り付けられるように構成される通信装置のコーナー部の厚みに対応する、ステップ、
前記リテーナに取り付けられるかまたは取り付けられるように構成される複数のレンズを提供するステップであって、前記リテーナは、前記複数のレンズのうちの１つを、前記通信装置の前記第１の面上の前記搭載カメラレンズの前方に配置して、前記複数のレンズのうちの別のレンズを、前記通信装置の前記第１の面と反対の前記通信装置の第２の面上に配置するように構成され、前記複数のレンズのうちのどちらを前記通信装置の前記搭載カメラの前方に配置するかをユーザが選択可能である、ステップ、
を含む方法。
【請求項１７】
前記レンズを前記リテーナに取り付けるステップは、前記レンズを前記リテーナに着脱自在に取り付けるステップを含む、請求項１６に記載の方法。
【請求項１８】
前記レンズを前記リテーナに取り付けるステップは、前記レンズを前記リテーナに永久に組み込むステップを含む、請求項１６に記載の方法。
【請求項１９】
第２のレンズを提供するステップ、および前記第２のレンズを前記リテーナに着脱自在に取り付けるステップをさらに含む、請求項１８に記載の方法。
【請求項２０】
光強化部品を提供するステップ、および前記光強化部品を前記リテーナに取り付けるステップをさらに含む、請求項１６に記載の方法。
【発明の詳細な説明】
【技術分野】
【０００１】
（関連出願）
本出願は、「通信装置用の選択的に取り付けおよび取り外し可能なレンズ（Ｓｅｌｅｃｔｉｖｅｌｙ  Ａｔｔａｃｈａｂｌｅ  ａｎｄ  Ｒｅｍｏｖａｂｌｅ  Ｌｅｎｓｅｓ  ｆｏｒ  Ｃｏｍｍｕｎｉｃａｔｉｏｎ  Ｄｅｖｉｃｅｓ）」と題する２０１２年２月３日出願の米国特許出願番号第１３／３６６，２２７号の米国特許法§１２０下の利益を請求する。本出願は、「通信装置用の取り外し可能なレンズ（Ｒｅｍｏｖａｂｌｅ  Ｌｅｎｓｅｓ  ｆｏｒ  Ｃｏｍｍｕｎｉｃａｔｉｏｎ  Ｄｅｖｉｃｅｓ）」と題する２０１１年３月１８日出願の米国仮特許出願番号第６１／４５４，１３６号の、「通信装置用の取り外し可能なレンズ（Ｒｅｍｏｖａｂｌｅ  Ｌｅｎｓｅｓ  ｆｏｒ  Ｃｏｍｍｕｎｉｃａｔｉｏｎ  Ｄｅｖｉｃｅｓ）」と題する２０１１年７月１日出願の米国仮特許出願番号第６１／５０３，８３５号の、および「通信装置用の選択的に取り付けおよび取り外し可能なレンズ（Ｓｅｌｅｃｔｉｖｅｌｙ  Ａｔｔａｃｈａｂｌｅ  ａｎｄ  Ｒｅｍｏｖａｂｌｅ  Ｌｅｎｓｅｓ  ｆｏｒ  Ｃｏｍｍｕｎｉｃａｔｉｏｎ  Ｄｅｖｉｃｅｓ）」と題する２０１２年１月１２日出願の米国仮特許出願番号第６１／５８５，８５７号の、米国特許法§１１９（ｅ）下の利益を請求する。全４件のすべての内容は、本明細書において参照により本明細書に組み込まれ、それらが開示するすべてが本明細書の一部となる。
【０００２】
（技術分野）
本発明は、一般に、通信装置（例えば、移動電話、移動ショートメッセージサービス・デバイス、電子パッド・デバイス、ラップトップコンピュータ、デスクトップコンピュータ、ゲーム・デバイス、および／または、他のデバイスにまたはネットワーク（例えばインターネットなど）に電子的につながることができるデバイス）のためのアクセサリに、そして、特に通信装置のための着脱可能な機能部品に、関する。
【背景技術】
【０００３】
近年、コンピュータのネットワーク化および処理技術の多くの進歩は、通信装置がユーザにより画像を捕えることのできるカメラを含むことを可能にした。多くの場合、これらの画像は、保存されることができて、処理されることができて、送信されることができる。しかしながら、通信装置の搭載カメラには、この種のカメラのレンズ化システムの重量、サイズ、出費、形状、調整能力および全体の品質を制限する可能性のある多くの設計上の制約が存在する。したがって、通信装置の多くのカメラは、多種多様な光学的ニーズにとって不十分であり、低品質の写真画像を生成してよい。これらの欠陥は、取り付け構造、重量、光学部品、サイズ、運搬、保管、エルゴノミクスおよび／または携帯性の非互換性を含むこの種のレンズ化システムと通信装置との間の有意差のせいで、従来のフィルムまたはデジタルカメラの用途に、既存のモジュラ形または着脱可能なレンズ化システムによって対処されることは、できない。
【発明の概要】
【課題を解決するための手段】
【０００４】
本明細書に開示されるいくつかの実施形態は、通信装置（例えば携帯電話、タブレット型コンピュータ、メディアプレーヤ、など）に着脱自在に取り付けられるように構成されるリテーナ部分に取り付けられる１つ以上のレンズを有するレンズ部品に関する。リテーナ部分は、通信装置の表示パネルのユーザのビューを妨げないように構成されてよい。いくつかの実施形態では、複数のレンズが提供されてよい。そのレンズは、リテーナ部分に着脱自在に取り付けられてよく、そして交換可能でもよい。フラッシュを提供するための構造も、提供されてよい。いくつかの実施形態では、安定化デバイス（例えば三脚）への、そしてユーザが着用できるアクセサリへの取り付けを容易にする取り付け部品のような追加機構は、提供されてよい。
【０００５】
本発明の特定の実施形態は、ここで、以下の図を参照して詳述される。これらの図は、説明の目的でのみ提供されて、本発明は、図に示される内容に制限されない。本明細書に例示されて記載されるもの以外にも多くの他のタイプの通信装置が使用できる。
【図面の簡単な説明】
【０００６】
【図１】図１Ａ〜図１Ｉは、通信装置用の着脱自在に取り付け可能なレンズシステムの実施例の９つの異なる図を示す。
【図２】図２Ａ〜図２Ｂは、通信装置の実施例に取り付けられる図１Ａ〜図１Ｉのレンズシステムを示す。
【図３】図３Ａ〜図３Ｂは、通信装置の他の実施例に取り付けられるレンズシステムの他の実施例を示す。
【図４】図４Ａ〜図４Ｂは、通信装置の他の実施例に取り付けられるレンズシステムの他の実施例を示す。
【図５】図５Ａ〜図５Ｂは、通信装置の他の実施例に取り付けられるレンズシステムの他の実施例を示す。
【図６】図６Ａ〜図６Ｂは、通信装置の他の実施例に取り付けられるレンズシステムの他の実施例を示す。
【図７】図７Ａ〜図７Ｉは、異なる目的のために用いる複数のレンズを有するマルチプル・レンズシステムの実施例を示す。
【図８】図８Ａ〜図８Ｉは、通信装置への取り付けを容易にするために付加構造を有するレンズシステムの実施例を示す。
【図９】図９Ａ〜図９Ｅは、図８Ａ〜図８Ｉのレンズシステムの追加的な図を示す。
【図１０】図１０Ａ〜図１０Ｃは、通信装置の実施例に取り付けられる図７Ａ〜図７Ｉのレンズシステムを示す。
【図１１】図１１Ａ〜図１１Ｆは、リテーナ部分に関して調整可能なレンズ部分を有するレンズシステムの実施例を示す。
【図１２】図１２は、調整チャネルを有するレンズ・リテーナ部分の実施例を示す。
【図１３】図１３Ａ〜図１３Ｃは、図１１Ａ〜図１１Ｆからのレンズシステムの実施例が取り付けられる通信装置の実施例を示す。
【図１４】図１４Ａ〜図１４Ｂは、レンズシステム上に光強化部品を有する通信装置の実施例を示す。
【図１５】図１５Ａ〜図１５Ｂは、レンズシステム上に他の光強化部品を有する通信装置の実施例を示す。
【図１６】図１６Ａ〜図１６Ｆは、アダプタを含むレンズシステムの実施例を示す。
【図１７】図１７Ａ〜図１７Ｂは、マウント機能を含むレンズ部品の実施例を示す。
【図１８】図１８Ａ〜図１８Ｃは、三脚にマウントするために構成された図１７Ａ〜図１７Ｂのレンズ部品を示す。
【図１９】図１９Ａ〜図１９Ｃは、レンズまたは他のデバイスを保管するためのレンズ部品の側部に沿った保管または取り付け機能を含むレンズ部品の実施例を示す。
【図２０】図２０は、アクセサリ（例えばキーチェーン）とともに用いられる付属品を含むレンズシステムの実施例を示す。
【図２１】図２１は、アクセサリ（例えばネックレス）とともに用いられる付属品を含むレンズシステムの実施例を示す。
【図２２】図２２は、アクセサリ（例えばブレスレット）とともに用いられる付属品を含むレンズシステムの実施例を示す。
【図２３】図２３Ａ〜図２３Ｅは、レンズフードを含むレンズシステムの実施例を示す。
【図２４】図２４Ａ〜図２４Ｄは、着脱可能なレンズを含むレンズシステムの実施例を示す。
【図２５】図２５は、内部レンズを有するレンズシステムの実施例を示す。
【発明を実施するための形態】
【０００７】
以下の詳細な説明は、ここで、開示の実施形態の特定の実施例に向けられる。この説明において、図面が参照され、説明および図面を通じて同様の部分は同様の数字によって示される。本発明は、この明細書にはっきりと例示されまたは説明される実施例に制限されない。
【０００８】
図１Ａ〜図１Ｉを参照すると、着脱自在に取り付け可能なレンズ部品１１０の実施例は、多くの異なる図に示される。いくつかの実施形態では、図示のように、レンズ部品１１０は、通常、リテーナ部分１１２およびレンズ部分１１４を備えることができる。光学的な強化、改良、修正および／または代替を提供するために、レンズ部分１１４が搭載カメラと光学的に協働することを可能にするために、レンズ部分１１４が通信装置の搭載カメラレンズを通常カバーするかまたはその近くの領域に位置することができるように、リテーナ部分１１２は、通常、通信装置に着脱自在に取り付け可能に構成される。いくつかの実施形態では、図示のように、リテーナ部分１１２は、ユーザが支障なしにまたは明らかな支障なしに通信装置の表示（ｖｉｅｗｉｎｇ）部分１３１の全てまたは実質的に全てを見ることのできる領域において、かつその仕方において通信装置に取り付くように、形づくられる。
【０００９】
例えば、リテーナ部分１１２は、複数の側壁１１８を有するチャネル１１６を備えることができる。チャネル１１６の幅、例えば、それぞれの側壁１１８間の距離は、リテーナ部分１１２が取り付くように構成される通信装置の部分の厚みに通常適応するように構成されることができる。いくつかの実施形態では、チャネル１１６の実幅は、通信装置の搭載カメラの光孔（ｌｉｇｈｔ  ａｐｅｒｔｕｒｅ）の近くで、通信装置の外側ハウジングのコーナー部（例えば上方コーナー部）の厚みとほぼ同一サイズかまたはそれよりもわずかに小さい。
【００１０】
いくつかの実施形態では、図示のように、リテーナ部分１１２によって妨げられるデバイスの横面全体の領域を減少させながら、リテーナ部分１１２が通信装置の縁部に沿って接触する距離を増加させることができるように、複数の壁１１８のうちの１つ以上は、１つ以上の縁部に沿って曲線の形状１１９を有することができる。例えば、実施形態によっては、図示のように、壁１１８の１つ以上の縁部に沿った曲線の形状によって、リテーナ部分１１２は、レンズ部分１１４とほぼ同程度に広い通信装置の２つの通常収束するかまたは通常垂直な外縁部または側部のうちの少なくとも一部に沿って延びて、それに取り付くことができる。その一方で、ブロックされる装置の正面上のスペースの合計を減少させる。図１Ａ〜図１Ｉに示される実施例において、壁１１８の縁部の曲線の形状は、さもなければ通信装置の表示部分まで延びて、それを妨害してよい下方のとがったまたは鋭い角を回避または省略することができる。いくつかの実施形態では、リテーナは、図２Ｂに示すように、画面（ｖｉｅｗｉｎｇ  ｓｕｒｆａｃｅ）を明らかにブロックしないかまたは妨害しない。
【００１１】
リテーナ部分１１２の全部または一部（例えば、複数の壁１１８の１つ以上）は、１つ以上の壁１１８の変形（例えば、圧縮、曲げまたは伸展）を許容するために十分に可撓性である材料（例えば、ポリマーまたはシリコーン）で作られることができる。その結果、チャネル１１６は、レンズ部品１１０を通信装置上で摺動させながら一時的に広がることができる。しかし、１つ以上の壁１１８の少なくとも一部は、複数の壁１１８の１つ以上をその最初の位置に戻させて、これにより、通信装置に対して把持力を発揮するために十分に硬く、堅く、または弾力的であることができる。リテーナ部分１１２（特にチャネル１１６の中の壁１１８の内側領域）の材料は、通信装置へのリテーナ部分１１２の把持を強化するために、粘着性またはいくぶん摺動抵抗をもたせることもできる。いくつかの実施形態では、把持力および／または摺動抵抗は、通信装置への永久的または一時的取り付け部品を取り付ける必要を減らすかまたは除去することができる。例えば、レンズ部品１１０は、別々の永久的または半永久的取り付け部品（例えばブラケット、磁石、接着剤、または他の固定部品）を通信装置上にインストールする必要なしに（しかし禁止しないで）、通信装置に繰り返し取り付けられることができ、そして取り外されることができる。これにより、最初の全体の形状、外観、機能性、互換性（例えば、他の通信装置またはケースとの）および／またはレンズ部品が取り外されるときの通信装置の感触を保存しながら、インストールの容易さを提供する。
【００１２】
リテーナ部分１１２は、いくつかの実施形態において、通信装置の１つ以上の縁部の形状に一般に対応するように形づくられることができる上方壁１２０を備えることもできる。図示のように、上方壁１２０は、ラウンド・コーナー１２２を有する通常曲線の形状を有する。リテーナ部分１１４は、通信装置の１つ以上の外部的特徴に対する干渉を通常回避するように構成される１つ以上の内部的表面輪郭１２４を含むこともできる。例えば、図示のように、レンズ部品１１０が通信装置に取り付けられるときに、通信装置のボタンまたは他の特徴に対する干渉または不注意な接触を回避するために、チャネル１１６は、溝の形の表面輪郭１２４を含むことができる。図示のように、リテーナ１１２の側壁１１８は、１つ以上の通常とがったかまたは角度のついた領域１２９を備えることができる。
【００１３】
いくつかの実施形態では、図示のように、リテーナ部分１１２は、通信装置の２つの平行でない側部を把持するように構成されることができる。例えば、リテーナ部分１１２は、通信装置の少なくとも第１の通常垂直の側面または縁面１３３、および通信装置の少なくとも第２の通常水平でかつ通常直交する側面または縁面１３４（例えば、通信装置の横側および上側）と、使用の間、同時に接触することができる。いくつかの実施形態では、複数の通常垂直な縁部または表面によるこの接触は、取り付けの間、リテーナ部分１１２の位置または構造のユーザ調整を必要としないで、単一の取り付け運動においてリテーナ部分１１２の反復可能な十分に正確な配置を許容する。いくつかの実施形態では、リテーナ部分１１２の２つ以上の接触表面は、丸い外部表面を有する上方コーナー部で収束することができる。いくつかの実施形態では、図示のように、リテーナ部分１１２は、それが取り付くように構成される通信装置よりも実質的に小さいかまたは、それが取り付くように構成される通信装置の表示部分よりさえも実質的に小さい。いくつかの実施形態では、リテーナは、例えば他の側部または縁部との接触を必要とすることなくこの種の側部または縁部の正面および背面の両方に接触することによって、一方の側部または縁部（例えば、通常垂直なまたは通常水平な側部または縁部）とだけ接触するように構成されることができる。この種の実施形態の一例は、一般に、上壁、２つの側壁、および側壁の各側上の開口を備える通常Ｕ字形状を有するリテーナ部分から形成されることができる。
【００１４】
いくつかの実施形態では、通信装置上のノンストック・マウントを必要としないで、そして、リテーナ部分１１２自体上の動的なマウント（例えば、留め金具、ネジ、調整可能なクランプなど）を必要としないで、リテーナ部分１１２によって、レンズ部品１１０は、通信装置に取り付けられることができる。したがって、取り付けの間、ユーザ調整を必要とせずに、ユーザは、レンズ部品１１０を単に（例えば、通信装置のコーナー部上に）摺動させることによってそれを通信装置のコーナー部に取り付けることができ、そして、単にそれを引っ張ることによってそれを取り外すことができる。いくつかの実施形態では、図示のように、レンズ部品１１０は、摩擦嵌合（ｆｒｉｃｔｉｏｎ  ｆｉｔ）によって通信装置上にとどまることができる。通信装置への取り付けは、通信装置の外部表面への接着、ひっかき傷、あるいは他の損傷または変更からの残り付着物を回避することができる。いくつかの実施形態では、リテーナ部分は、それが単に１つのコーナー部だけよりはもむしろ通信装置の端部および／または側部領域（例えば、２つ以上のコーナー部）を受け入れるのに適するように、十分に広くおよび／または長くなることができる。そして、本明細書において開示される他の実施形態の他の側面は、リテーナ部分と通信装置の端部および／または側部領域との間の摩擦嵌合の構造の形状および材料ならびに成果を含むがこれに限らないこの種の実施形態にあてはまることができる。
【００１５】
レンズ部分１１４は、概してガラスまたはポリマーでできている透明なレンズ１２８、および固定する構造１２６を一般に備える。固定する構造１２６は、金属（例えば、アルミニウムまたは鋼）またはプラスチックのような多くの異なる種類の材料または材料の組み合わせでできていることができる。固定する構造１２６は、レンズ１２８を受け入れるための通常広い領域の開口およびリテーナ部分１１２に取り付けるための通常狭い領域を含むことができる。いくつかの実施形態では、固定する構造１２６およびリテーナ部分１１２は、（例えば、いくつかの通信装置における搭載カメラレンズの位置の製造公差を処理するために）通信装置の搭載カメラレンズに関してレンズ１２８の位置の調整を許容するために、限られた仕方で互いに関して摺動するかまたは別の移動をするように構成されることができる。図示のように、リテーナ部分１１２に対するレンズ部分１１４の取り付けまたは固定のための機構または構造は、通信装置に対するリテーナ部分１１２の取り付けまたは固定のための機構または構造とは分離していることができおよび／または独立して作動することができる。実施形態によっては、図示のように、固定する構造１２６の外面は、製造に使用する材料の量を減少させて、リテーナレンズ部分１１４のサイズおよび重量を減少させるために、レンズ受け入れ領域からリテーナ取り付け領域まで内向きにテーパをつけることができる。いくつかの実施形態では、レンズ部品は、非常に小さいものであることができ、さしわたしが例えば約２インチ半もしくはそれ未満、または約１インチ半もしくはそれ未満でありえる。
【００１６】
レンズ１２８は、複数のレンズまたはレンズ部品を含むことができる。いくつかの実施形態（図示せず）では、レンズ部品１１０は、レンズ１２８とリテーナ部分１１２との間に位置してよい例えばレバーもしくは回転ダイヤルを有してまたは電子的もしくはモータ制御を有して、レンズ化システムの焦点距離が手動でまたは電子的に調整されることのできるレンズ化システムのような、より複雑なレンズ化システムを備えることができる。電子的またはモータ制御は、移動通信装置に有線または無線のどちらかで接続されることにより、通信装置においてソフトウェアを用いて取り付けられることができて、調整されることができる。レンズ化システムの他の特殊レンズは、画像を拡大するように構成される望遠レンズ、広角レンズ、魚眼レンズ、マクロスコピックレンズおよびマイクロスコピックレンズを含むことができる。
【００１７】
レンズ１２８は、引っ掻き抵抗性を増加させるために、グレアまたは反射を減少させるために、あるいはレンズ１２８を通って送られる光を減少させるかまたはフィルタに通すために、コーティングまたは他の特徴を備えることもできる。レンズ部品１１０は、保管および運搬の間、レンズ１２８上に適合するように構成されるカバーを含むこともできる。レンズ部品１１０は、キーリング、ベルトループ、ブレスレット、ネックレス、または通信装置に接続されないときに容易にアクセス可能な他の場所のような、人によって持ち運ばれる標準的アクセサリ上においてレンズ部品１１０がユーザにより都合よく持ち運ばれることを可能にするために、クイックリリースまたは他の取り付け構造のような、他の保管および運搬機能を備えることができる。本明細書に記載されるそれらを含む、異なるレンズ機能を有するさまざまなレンズを有する異なるレンズ部品１１０のコレクションまたはキットは、さまざまな光学的必要性にアドレスするために保管ケース内に提供されることができる。
【００１８】
図２Ａ〜図２Ｂ、図３Ａ〜図３Ｂに示すように、レンズ部品１１０は、搭載カメラ１３２を含む通信装置１３０、１３４の付近に持ち込まれることができる。いくつかの実施形態では、レンズ部品１１０は、通信装置１３０、１３４を有するシステムとして共に販売されることができるかまたは提供されることができる。図２Ａ〜図２Ｂ、図３Ａ〜図３Ｂに示す通信装置１３０、１３４は、アップル社により販売される携帯電話ｉＰｈｏｎｅのバージョンである。レンズ１２８が搭載カメラ１３２と通常整列されるようにレンズ部品１１０がマウントされて回転される通信装置１３０の縁部またはコーナー部との通常のアライメントにおいて、チャネル１１６が下向きになるように、レンズ部品１１０は、方向づけられることができる。チャネル１１６が通信装置１３０の縁部またはコーナー部に接触するにつれて、チャネル１１６は、壁１１８が外向きに曲がる（ｆｌｅｘ  ｏｒ  ｂｅｎｄ）ので僅かに拡大してよい。リテーナ部分１１２によって生じる復元力は、壁１１８をそれらの最初の位置に向けて戻らせることができる。そしてそれは、使用の間、レンズ部品１１０を通信装置１３０上に保持するのを助けることができる。レンズ１２８は、次いで、搭載カメラ１３２のための拡大された、より焦点の合った、より鮮明な、あるいはその反対に強化された、変更された、管理された、または改良された画像を一時的に提供することができる。
【００１９】
図４Ａ〜図４Ｂ、図５Ａ〜図５Ｂは、タブレット式の通信装置２０４、２０６に用いられるように構成されるレンズ部品２００、２０２の実施例を示す。図示の実施例では、通信装置２０４は、アップル社により販売される通信装置ｉＰａｄであり、通信装置２０６は、サムスンにより販売されるタブレット・ギャラクシーである。レンズ部品２００、２０２は、図１Ａ〜図１Ｉに関連して図示されてかつ説明されるレンズ部品１１０のさまざまな特徴および構造を含むことができる。いくつかの実施形態では、図４Ａ〜図４Ｂ、図５Ａ〜図５Ｂに示すように、レンズ部品２０４、２０６は、異なるサイズおよび長さの壁２１０、２１２を有するリテーナ部分２０８を含むことができる。より長いかまたはより広い領域の壁２１２は、カメラ１３２の前方にレンズ１２８を吊架するように構成されるリテーナ部分２０８の側部に設けられることができる。一方、より短いかまたはより小さい領域の壁２１０は、通信装置２０４、２０６の表示部分が位置する表面部分を越えて延びるように構成されるリテーナ部分２０８の側部に設けられることができる。リテーナ部分２０８は、表示部分の妨害を減少するかまたは除去しながら、レンズ部品２００、２０２を確実に取り付けるように構成されることができる。レンズ部品２００、２０２が取り付けられるときに通信装置２０４、２０６上のコントロールまたは他の相互作用の構造へのアクセスを許容するために、開口または他の機能アクセス領域２１６は、リテーナ部分２０８に設けられることができる。
【００２０】
図６Ａ〜６Ｂは、通信装置３０６の一部上に部分的にもしくは完全に張り出すことができるか、または取り付けアーム３０４の主要部分に対して通常横方向に方向づけられる、取り付け構造（例えばフック部分３０６）を含む複数の取り付けアーム３０４を備えるリテーナ部分３０８を有するレンズ部品３０２の実施例を示す。図示のように、取り付けアーム３０４は、充分な構造剛性および保持力を提供するために、通常、中心のより広い部分から周辺のより狭い部分へとテーパづられることができる。レンズ部品３０２は、本明細書に記載される他のレンズ部品１１０、２００のさまざまな特徴を含むことができる。図６Ａ〜図６Ｂに示す通信装置は、ＨＴＣ社により販売される通信装置ＥＶＯである。取り付けアーム３０４は、カメラ３１０がデバイスのコーナー部近くに配置されていないデバイス（例えばＥＶＯデバイス）にレンズ部品３０２を取り付ける際に支援することができる。
【００２１】
図７Ａ〜図７Ｉは、複数のレンズ４０２、４０４が同じリテーナ部分４０６に取り付けられることのできるレンズ部品４００の実施例のいくつかの図を示す。この実施例では、ユーザは、特定の光学的なアプリケーションに使用するレンズの種類のための少なくとも２つの異なる選択を有することができる。例えば、レンズ４０２、４０４の一方は、広角ビューを提供することができ、そして、レンズ４０２、４０４の他方は、魚眼ビューを提供することができる。多くの他のレンズオプションは、可能である。複数のユーザオプションを提供するために、例えば、１つ以上のレンズは、異なるカラーフィルタ能力、異なる光減衰能力、異なるレンズコーティング（例えば反射防止膜）、および他の光学的性質の違いを備えることができる。異なるレンズは、これらのまたは他の光学的特徴の任意の組み合わせを含むことができる。リテーナ部分４０６は、本明細書に例示されて記載される他のリテーナ部分のさまざまな特徴を含むことができる。
【００２２】
図８Ａ〜図８Ｉ、図９Ａ〜図９Ｅは、図７Ａ〜図７Ｉのレンズ部品４００と同一であるかまたはさまざまな仕方で類似するレンズ部品４００ａの実施例のいくつかの図を示す。レンズ部品４００ａは、通信装置の一部を受け入れるためのチャネル４１６を含む。チャネル４１６は、取り付けを容易にする表面４１８を含む。図の実施例では、取り付けを容易にする表面４１８は、チャネル４１６の外縁部またはスロット開口に沿って配置される内向きにカーブした（例えば、傾斜した（ｓｌｏｐｅｄ  ｏｒ  ｓｌａｎｔｅｄ））面を備える。いくつかの実施形態では、取り付けを容易にする表面４１８は、チャネル４１６の外縁部にまたはその近くに配置されることができる。図示のように、取り付けを容易にする表面は、縁部近くでより薄くあることができ、それがチャネル４１６内へとさらに進むにつれて徐々により厚くなることができる。
【００２３】
レンズ部品４００ａが通信装置の取り付け位置に持ち込まれるにつれて、取り付けを容易にする表面４１８は、ユーザによるデバイスの適切な方向づけおよび取り付けを容易にするために有効により広い外縁部４２２の近くに第１の接触領域または開口４２０ａ（図８Ｇ、図８Ｈ参照）、およびチャネル４１６のさらに（またはレンズ部品４００ａの縁部からさらに）内部により狭い第２の領域４２０ｂを提供することができ、これにより、レンズ部品４００ａが通信装置の取り付け領域上のより遠くへと移動するにつれて、より確実な取り付け表面を提供する。いくつかの実施形態では、図示のように、チャネル４１６の幅は、第１の接触領域４２０ａと第２の領域４２０ｂとの間で滑らかな、段階的な、および／または曲線の仕方で変化することができる。いくつかの実施形態は、多くの他の種類の形状を含むことができる。例えば、取り付けを容易にする表面４１８は、不連続な表面または、一連の個別の傾斜路（ｒａｍｐ）、突起、または溝を含むことができる。取り付けを容易にする表面４１８は、レンズ部品の任意の実施形態に含まれることができて、図８Ａ〜図８Ｉ、図９Ａ〜図９Ｅに示すように、レンズ部品４００ａにおける使用に制限されない。
【００２４】
図１０Ａ〜図１０Ｃに示すように、ユーザは、所望の光学的効果を達成するために複数のレンズ４０２、４０４のうちのどれを通信装置１３４のカメラ１３２の前方に配置するか選択することができる。図１０Ａにおいて、第１の（例えば、より小さい直径の）レンズ４０２が搭載カメラレンズ１３２の前方に配置され、（例えば、第２のより大きい直径の）レンズ４０４が通信装置１３４の反対側に配置されるように、レンズ部品４００は、通信装置１３４の取り付け位置に持ち込まれる。この向きでは、より小さい直径のレンズ４０２は、活動し（ｏｐｅｒａｔｉｖｅ）、より大きい直径のレンズ４０４は、活動しない。図１０Ｂにおいて、レンズ部品４００は、通信装置から取り外され、垂直軸のまわりに（例えばこの実施例ではほぼ１８０°）回転され、通信装置の取り付け表面（例えばハウジングの縁部との通常のアライメントにおいてチャネル４１６を方向づけるために水平軸のまわりに回転される。図Ｉ０Ｃにおいて、より大きい直径のレンズ４０４が搭載カメラレンズ１３２の前方に配置され、より小さい直径のレンズ４０２が通信装置１３４の反対側に配置されるように、レンズ部品４００は、通信装置１３４上へ再び前進する。この向きでは、より大きい直径のレンズ４０４は、活動し、より小さい直径のレンズ４０２は、活動しない。いくつかの実施形態では、レンズ部品４００のこの構成は、ユーザが複数の別個のレンズ部品を持つかまたは保管することを必ずしも必要とすることなく、複数のレンズオプションを都合よく許容することができる。いくつかの実施形態では、２つ以上のレンズの種類または特徴は、レンズ部品４００に含まれることができ、これにより、ユーザに多くのレンズオプションを提供する。
【００２５】
図１１Ａ〜図１１Ｆは、レンズ５０２がリテーナ部分５０４に取り付けられるレンズ部品５００の実施例のいくつかの図を示す。レンズ部品５００は、上記のレンズ部品と類似の仕方で通信装置１３４に取り付けられることができる。ユーザがレンズ部品５００を通信装置１３４に取り付けたとき、ユーザは、通信装置１３４に関して（例えば、方位角的に、レンズの垂直軸に沿って、レンズの水平軸に沿って、これらの調整の組み合わせなど）レンズ５０２を調整する（例えば、傾けるか、旋回させるか、または他の移動をさせる）ことができる。通信装置の搭載レンズとの間の不良アライメントを減少させるために、またはレンズ５０２の視角を変更するために、あるいは他のなにかの理由のために、ユーザは、レンズ５０２をリテーナに関して複数の位置へとシフトさせることができるかまたは他の移動をさせることができる。いくつかの実施形態では、ユーザは、レンズ５０２を、少なくとも第１および第２の位置へと、または少なくとも第１、第２および第３の位置へと、または調整ゾーン全体に徐々に、シフトさせることができる。いくつかの実施形態では、この調整は、レンズ部分５０２の背後に隙間５０６を形成することができる。通信装置１３４に関してレンズ５０２を調整する能力は、いくつかの通信装置における搭載カメラレンズの位置および／またはアライメントにおける製造公差または許容度の処理において有利でありえる。
【００２６】
いくつかの実施形態では、レンズ５０２を傾けることは、通信装置１３４に面するレンズの部分上の枢軸（図示せず）によって容易になる。レンズ５０２は、リテーナ部分５０４の側壁５０８により形成されるチャネル内に配置される。図１１Ａにおいて、取り付けられるときにレンズ５０２の後部とリテーナ部分５０４または通信装置１３４のパネルとの間に隙間５０６が形成されるように、そして、レンズ部分５０２の外壁がレンズ・リテーナ部分５０２の隣接する内壁との非平行であるように、レンズ５０２は、通信装置１３４に関して左に傾けられる。図示のように、レンズ５０２の後部とリテーナ部分５０４の内部の縁部、ライン、または断面領域５０７との間の距離は、第２側部５１１に比べて第１側部５０９でより大きい。この向きで、レンズ５０２は、通信装置１３４の搭載カメラの中心を外れたアライメントを補償することができる。例えば、図１１Ａに示す調整された方向では、レンズ部分５０２の中心軸線は、搭載カメラレンズ１３２の中心軸線との通常のアライメントに持ってこられることができる。図１１Ｂは、通信装置１３４に関して中立位置におけるレンズ５０２を示す。この向きで、レンズ５０２は、通信装置１３４の搭載カメラのいかなる中心を外れたアライメントも補償する必要はない。図ｌｌＣは、通信装置１３４に関して右に傾けられて、図１１Ａと類似の仕方で隙間５０６を形成するレンズ５０２を示す。この向きで、レンズ５０２は、通信装置１３４の搭載カメラの異なるもしくは中心を外れたアライメントまたは位置を補償することができる。
【００２７】
いくつかの実施形態では、レンズ５０２を傾けることは、通信装置１３４に面するレンズ５０２の部分上のボール５１０およびリテーナ部分５０４内のソケット５１２によって形成される玉継手（ｂａｌｌ  ａｎｄ  ｓｏｃｋｅｔ  ｊｏｉｎｔ）によって、容易にされる。この実施形態は、図１１Ａ〜図１１Ｃの実施形態と類似の仕方で、一般に機能することができる。ボール部５１０は、一般に偏球面の形状に近づくことができて、１つ以上の平坦なまたは直線状の部分を有することができる。ボール部５１０は、一般に回転楕円面であることができるが、そうであるべき必要はない。図１１Ｄ〜図１１Ｅに示す実施形態では、通信装置１３４に面する部分は、通常まっすぐであるかまたは平坦である。ボール５１０は、一般に補完的な形状を有して、リテーナ部分５０２および通信装置１３４に関してレンズ５０２の回転を容易にするソケット５１２の範囲内に配置されることができる。図１１Ｄにおいて、ボール５１０とソケット５１２または通信装置１３４との間に隙間５０６が形成されるように、レンズ５０２は、通信装置１３４に関して左に傾けられる。この向きで、レンズ５０２は、通信装置１３４の搭載カメラのアライメントまたは位置のミス対応を補償することができる。図１１Ｅは、リテーナ部分５０４の少なくとも１つの壁がレンズ部分５０２の正面または背面のどちらかまたは両方と通常平行でありえる通信装置に関して、一般に中立位置におけるレンズ５０２を示す。この向きで、レンズ５０２は、通信装置１３４の搭載カメラのアライメントまたは位置のいかなるミス対応も補償する必要はない。図１１Ｆは、通信装置１３４に関して右に傾けられて、図１１Ｄと類似の仕方で隙間５０６を形成するレンズ５０２を示す。この向きで、レンズ５０２は、通信装置１３４の搭載カメラのアライメントまたは位置のミス対応を補償することができるか、またはその逆に、生じる光学画像の性質を調整するのを助けることができる。図１１Ｄ〜図１１Ｆに示す実施例では、リテーナ部分５０４の少なくとも１つの壁は、レンズ部分１０２の正面または背面のどちらかまたは両方と、通常、非平行でありえる。図示のように、ユーザは、レンズ・リテーナ部分５０４に関してレンズ部分５０２を適切に調整することができる。
【００２８】
図１２に示すように、レンズ・リテーナ部分５０４は、調整可能な仕方でレンズ部分５０２を受け入れるための１つ以上の一般に円形の擁壁５３０を含むことができる。擁壁５３０は、１つ以上の開口５３５を含むことができる。開口５３５のどちらかまたは両方の半径方向の内面５３７は、レンズ部分５０２上の第２の調整構造（例えば隆起（ｒｉｄｇｅ  ｏｒ  ｂｕｍｐ））を受け入れるように構成される幅および深さを有する調整チャネル５４０のような、第１の調整構造を含むことができる。図の実施例では、調整チャネル５４０は、レンズ部分５０２の比較的少ない量の制限された動きを提供するために、開口５３５の内面５３７の幅よりも実質的に小さい幅になることができる。例えば、実施形態によっては、調整チャネル５４０の幅は、約１．５ｍｍまたはそれ未満でありえる。そして、レンズ部分５０２を中立位置から遠ざかるように動かすのに必要な力を増加させるために、調整チャネル５４０の内部は、一般に中心部分または中心線に向かってテーパをつけることができるかまたは斜角をつけることができる。レンズ部分５０２上の隆起の幅は、調整チャネル５４０の幅よりも小さくなることができて、例えば、調整チャネル５４０の幅の約３／４またはそれ未満でありえる。調整構造間の摩擦力に抗してユーザにより力が加えられるときに制限された動きを許容しながら、第１および第２の調整構造は、共に密接にまたはきつく適合することができる（例えば、半径方向の締まりばめ）。この実施例では、レンズ部分５０２は、慎重な仕方で動かされるときに、レンズ・リテーナ部分５０４に関して動くようにユーザにより調整されることができる。しかし、レンズ部分５０２およびリテーナ部分５０４は、通常、他の調整まで動かないままでありえる。いくつかの実施形態では、調整の量は、比較的小さくなることができて、例えば、完全に調整された位置におけるレンズ部分１０２の長手方向中心軸線の向きと比較して、最初の位置におけるレンズ部分５０２の長手方向中心軸線の向きとの間に、約０．５°もしくはそれを上回ることができておよび／または約２．５°もしくはそれを下回ることができる。いくつかの実施形態では、レンズ部分５０２は、これらの位置または範囲の間（またはその外側）でさまざまな位置に調整されることができる。レンズ部分５０２の背面とレンズ・リテーナ部分５０４との間の移動量は、同様に比較的少なくなることができて、例えば、最初の向きと完全に調整された向きとの間で約０．１ｍｍもしくはそれを上回ることができておよび／または約１．０ｍｍもしくはそれを下回ることができる。
【００２９】
図１３Ａ〜図１３Ｃに示すように、レンズ５０２と通信装置１３４の搭載カメラとの間のアライメントまたは他の対応関係を改善するために、ユーザは、通信装置１３４に関してレンズ５０２の傾斜を調整することができる。図１３Ａにおいて、レンズ５０２は、通信装置１３４に関して中立位置にある。通常なら画像についての中心に置かれるビネットが左向きであることにより証明されるように、通信装置１３４のスクリーン５６０上の画像は、左に片寄っている。図１３Ｂは、通信装置１３４上の中心を外れた画像を補償するためにレンズ５０２を傾けているユーザ５９０を示す。図１３Ｃは、通信装置の搭載カメラが適切にアライメントされない場合であっても、画像についての中心に置かれたビネットを有する補正画像を示す。いくつかの実施形態では、レンズ５０２の傾きは、ユーザ５９０が通信装置１３４のスクリーン５６０上の搭載カメラからのライブ画像を見ながら調整されることができて、正しい調整がなされているかどうかについてリアルタイム・フィードバックをユーザに提供する。
【００３０】
図１４Ａ〜図１４Ｂは、レンズ部分６３０および光強化機能（例えば光パイプ６１０）を有するレンズ部品６００の２つの図を示す。光パイプ６１０は、リテーナ部分６６０に、またはレンズ部品６００のいくつかの他の部分にマウントされることができる。光パイプ６１０は、それが撮影される領域を照らすことができるように、光源（例えばフラッシュ）から出口点６２０まで光を運ぶ。いくつかの実施形態では、光パイプ６１０は、フラッシュから撮影される領域までの光の運搬を容易にする材料からつくられる。いくつかの実施形態では、光パイプ６１０の内部は、搭載フラッシュから撮影される領域までの光の運搬を容易にする材料で裏打ちされる。図１４Ａ〜図１４Ｂに示す通信装置１３４上のフラッシュ６５０の位置は、レンズ部品６００が通信装置１３４に取り付けられるときにフラッシュ６５０を通常カバーするかあるいはその逆に妨げる、搭載カメラ１３２に十分近くにある。いくつかの状況において、これは、レンズ部品６００が取り付けられるときにフラッシュ６５０からの光が撮られる写真を強化することを妨げてよい。光パイプ６１０は、フラッシュ６５０から出口点６２０まで光を運び、そしてそこから、光は、カメラの前方の領域を照らすために通常進行する。
【００３１】
いくつかの実施形態では、光パイプ６１０、リテーナ部分６６０および／またはレンズ部品６００のいくつかの他の部分は、フラッシュ６５０または、搭載フラッシュから光パイプ６１０への経路の外側の望ましくない光の転移または漏洩を禁止するかまたは防止するために光が発する他の領域を、一般にまたは完全に囲むように構成されることができる。この種の望ましくない転移または漏洩は、レンズ部品６００のレンズ部分６３０の後側へと移動する搭載フラッシュからの光、またはレンズ部品６００のリテーナ部分６６０と通信装置との間の領域の外側に移動する搭載フラッシュからの光を含んでよい。
【００３２】
いくつかの実施形態では、リテーナ部分６６０または他の部品は、ポリマー（例えば、ポリカーボネート）、金属（例えば、アルミニウム）など、またはそれらのいくつかの組み合わせを含むさまざまな材料から形成されることができる。例えば、リテーナ部分６６０の少なくとも一部は、マルチステップ成形工程（例えばマルチショット射出成形、インサート成形またはオーバーモールディング）を用いて形成されることができる。および／または、リテーナ部分６６０の他の部分よりも異なるデュロメータまたは外観を有するリテーナ部分６６０の内部および／または外部の領域を提供するために、リテーナ部分６６０は、コーティング（例えば接着剤、塗料または堆積膜）を含むことができる。いくつかの実施形態では、より堅いシェルまたは外部は、より柔らかい内面と関連して設けられることができる。例えば、通信装置のコーナー部と接触して配置されることを目的とするリテーナ部分６６０の内部領域は、リテーナ部分６６０の外部領域または支持領域に比べてより柔らかくておよび／またはより粘着性の表面を備えることができる。いくつかの実施形態では、より柔らかいかまたはより粘着性の表面は、光の漏洩を禁止するかまたは防止するために、通信装置に対する圧縮によって強化された光のシールを提供することができる。
【００３３】
図１５Ａ〜図１５Ｂは、光パイプ６１０ａを有するレンズ部品６００ａの２つの図を示す。多くの点で、光パイプ６１０ａは、上記の光パイプ６１０と類似するかまたは同一である。光パイプ６１０ａの出口点６２０ａは、レンズ６３０ａを一般にまたは完全に囲むことができて、一般に環状のフラッシュを提供する。これは、マクロ（または至近距離からの）写真撮影用に特に望ましくありえる。光強化機能は、搭載フラッシュの使用またはそれとの接続を必要とせずに、レンズ部品６００上のフラッシュまたは他の光源によって提供されることもできる。
【００３４】
いくつかの実施形態では、光強化機能は、通信装置と電子通信するように（例えば、無線プロトコル（例えばブルートゥース（登録商標）プロトコル）によって、または有線接続（例えばＵＳＢまたはシリアル接続）によって、など）選択的に構成されることのできるレンズ部品１１０に接続している外部的に取り付け可能なフラッシュ部品を含むことができる。フラッシュは、通信装置によって電力を供給されることができおよび／または通信装置によって起動されることができる。いくつかの実施形態では、フラッシュは、ユーザによって所望の光を向けるために、リテーナ部分１１２に関して枢支することができ、傾くことができ、または他の動きをすることができる。
【００３５】
実施形態によっては、本明細書に例示されて記載されるように、通信装置自体が通常滑らまたは平坦であり、そして搭載カメラの近くの領域に対応する取り付け構造を有していないときでさえ、レンズ部品は、通信装置に着脱自在に取り付けられるように構成される取り付け構造を有するリテーナ部分を含むことができる。このようにして、通信装置は、レンズ部品の取り付けを許容するために、外観において永久にまたは一時的に修正され、再構成され、外観を傷つけられ、または他の仕方で変えられることを必要としない。実施形態によっては、この配置構成は、レンズ部品が取り外されるときに、通信装置の中断されずかつ妨害されず、正常な使用を許容することができる。しかしながら、実施形態によっては、通信装置に対する修正は、役立ってもよく、またはレンズ部品を取り付けるために必要でもよい。
【００３６】
図１６Ａ〜図１６Ｆは、レンズシステム７００の図を示す。レンズシステム７００は、レンズ部品７０２を含むことができる。レンズ部品７０２は、本明細書に記載される他のレンズ部品と類似するものでありえる。例えば、レンズ部品７０２は、レンズ部品４００または４００ａと類似のまたは同一の構造を備えることができる。レンズ部品７０２は、同じリテーナ部分７０８に取り付けられる（例えば、取り外し可能に連結されるか、またはそれと一体的に形成される）１つ以上のレンズ７０４、７０６を含むことができる。１つ以上のレンズを用いて、ユーザは、特定の光学的なアプリケーションにおいて使用するために、レンズの種類のための少なくとも２つの異なるオプションを有することができる。例えば、レンズ７０４、７０６の一方は、広角ビューを提供することができ、そして、レンズ７０４、７０６の他方は、魚眼ビューを提供することができる。リテーナ部分７０８は、本明細書に例示されて記載される他のリテーナ部分のさまざまな特徴を含むことができる。例えば、リテーナ部分７０８は、チャネル７０９を含むことができる。
【００３７】
レンズシステム７００は、アダプタ７１０をさらに含むことができる。アダプタ７１０は、レンズ部品７０２から別々のまたは独立した部分を備えることができる。アダプタ７１０は、第１のアダプタ接続部７１２を含むことができる。第１のアダプタ接続部７１２は、例えば図１６Ｄに示すようにレンズ部品７０２が取り付くように通常構成される標準的な通信装置とは異なる形状を有する通信装置７２０に着脱自在に取り付け可能に構成されることができる。第１のアダプタ接続部７１２は、チャネル７１４を含むことができる。チャネル７１４は、通信装置７２０の少なくとも一部のサイズおよび／または形状に対応してサイズ設定されることができておよび／または形づくられることができる。そうすると、アダプタ７１０は、通信装置７２０の部分（例えばコーナー部）を通じてスライドすることができて、通信装置７２０上の正しい場所に（例えば、摩擦嵌合によって）保持されることができる。
【００３８】
アダプタ７１０は、第２のアダプタ接続部７１６をさらに含むことができる。第２のアダプタ接続部７１６は、それがレンズ部品７０２上のチャネル７０９の範囲内に受け取られるように、サイズ設定されることができておよび／または形づくられることができる。レンズ７０４、７０６と通信装置７２０上の対応する搭載カメラ７２２との間に光通信を許容するために、第２のアダプタ接続部７１６は、少なくとも１つの開口７１８を含むことができる。
【００３９】
光学的な強化、改良、修正および／または変更を提供するために、レンズ７０４、７０６が搭載カメラと光学的に協働することを可能にするために通信装置７２０の搭載カメラ７２２を通常カバーするかまたはそれに近い領域にレンズ７０４、７０６が配置されるように、アダプタ７１０およびレンズ部品７０２は、配置されることができる。いくつかの実施形態では、図示のように、アダプタ７１０およびレンズ部品７０２は、ユーザが支障なしにまたは支障の認識なしに通信装置７２０の表示部分を見ることのできる領域および仕方において通信装置７２０に取り付くように、形づくられる。
【００４０】
レンズ部品７０２は、さまざまな仕方で、アダプタ７１０に着脱自在に取り付けられることができる。例えば、レンズ部品７０２は、リテーナ部分７０８と第２のアダプタ接続部７１６との間に、摩擦嵌合を介して単に取り付けられることができる。いくつかの実施形態では、レンズ部品７０２は、アダプタ７１０の上部にスナップ嵌合することができる。他の取り付けオプションも、可能である。
【００４１】
アダプタ７１０によって、レンズ部品７０２は、１つ以上の異なる通信装置とともに用いられることができる。例えば、アダプタ７１０によって、レンズ部品７０２は、レンズ部品７０２が概して設計されるものよりもサイズ、厚みおよび／または形状の異なる通信装置とともに用いられることができる。例えば、実施形態によっては、通信装置７２０は、アップル社により製造されるｉＰｏｄ  Ｔｏｕｃｈデバイスを構成することができ、そして、他の通信装置１３４は、これもアップル社により製造されるｉＰｈｏｎｅを構成することができる。ｉＰｈｏｎｅは、ｉＰｏｄ  Ｔｏｕｃｈよりも概してより大きく、そしてより厚い。レンズ部品７０２がｉＰｏｄ  Ｔｏｕｃｈ上にではなく、ｉＰｈｏｎｅ上に特に適合するように設計されて、サイズ設定される場合、ユーザは、レンズ部品７０２を通信装置７２０とともに使用するために、アダプタ７１０を都合よくかつ簡単に使用することができる。
【００４２】
図１７Ａ〜図１７Ｂは、通信装置が写真またはビデオをとるために支持構造物上に一時的にマウントされることを目的とするアプリケーションにおいて使用するための取り付け部品８００の実施例を示す。取り付け部品８００は、同じリテーナ部分８０６に取り付けられる１つ以上のレンズ８０２、８０４を含むことができる。リテーナ部分８０６は、取り付け部品８００を通信装置１３４の部分（例えばコーナー部）に取り付けるための、上記のチャネルと類似のまたは同一のチャネル８０８を含むことができる。いくつかの実施形態では、リテーナ部分８０６は、少なくとも１つ以上の延長する隆起８１０、８１２のような安定化するまたは確実化する部材をさらに含むことができる。延長する隆起８１０、８１２は、レンズ８０２、８０４から離れて延びることができて、取り付け部品８００を通信装置１３４上の正しい場所に把持しておよび／または保持するために用いることができる。いくつかの実施形態では、図示のように、延長する隆起８１０、８１２の幅は、レンズ部品が取り付くように構成される通信装置の厚みよりも小さい。そして、延長する隆起８１０、８１２は、狭い前方エッジに沿って通信装置の正面の画面全体に延びて、表示領域のいかなる明らかな部分も隠す前に終了する。リテーナ部分８０６は、取り付け部品８００の一端部にコネクタ開口８１４を含むこともできる。
【００４３】
図１７Ｂに示すように、取り付け部品８００は、通信装置１３４（例えばｉＰｈｏｎｅ）に取り付けられることができる。そうすると、延長する隆起８１０、８１２は、ずっと延びて、通信装置１３４の側部エッジ８１６上を把持する。隆起８１０、８１２は、取り付け部品８００を通信装置１３４上の正しい場所に保持するのを助けることができる。隆起８１０、８１２以外の他のタイプの構造が用いられることもできる。
【００４４】
図１８Ａ〜図１８Ｃに示すように、取り付け部品８００は、支持構造物８１８（例えば三脚）に取り付けられることができる。例えば、取り付け部品８００は、支持構造物８１８のベース部８２０に取り付けられることができる。ベース部８２０は、取り付け部品８００のリテーナ部分８０６にねじ込まれることができるか、またはそれに取り付けられることができる。いくつかの実施形態では、コネクタ開口８１４は、雌ねじを含むことができ、ベース部は、雄ねじを有するねじまたは他の構造を含むことができる。そうすると、ベース部８２０は、コネクタ開口８１４にねじ込まれることができる。取り付け部品８００と支持構造物８１８との間の速くて解放可能な接続を許容するスナップ嵌合（ｓｎａｐ−ｆｉｔ）または他のタイプの接続メカニズムを含む、他のタイプの接続も可能である。
【００４５】
いくつかの実施形態では、支持構造物８１８のベース部８２０は、装着アーム８２２を含むことができるか、またはそれと接続されることができる。いくつかの実施形態において、取り付け部品８００のリテーナ部分８０６は、装着アーム８２２を備えることができる。装着アーム８２２は、通信装置１３４の位置を調整するために用いることができる。例えば、図１８Ｃに示すように、装着アーム８２２なしで、通信装置１３４は、支持構造物８１８の上部に通常水平にまたは横長に位置する。これに対して、装着アーム８２２を用いて、図１８Ｂに示すように、通信装置１３４は、ベース部８２０の側方に配置されて、垂直に位置する。他のタイプの装着アームまたは構造も、可能である。いくつかの実施形態では、図示のように、取り付け部品８００は、１つ以上のレンズを備える。そして、実施形態によっては、取り付け部品８００は、レンズを備えない。
【００４６】
図１９Ａ〜図１９Ｃは、追加レンズ、レンズキャップまたは他のデバイスの保管ができるレンズ部品９００を示す。レンズ部品９００は、同じリテーナ部分９０６に取り付けられる１つ以上のレンズ９０２、９０４を含むことができる。リテーナ部分９０６は、レンズ部品９００を通信装置１３４の部分（例えばコーナー部）に取り付けるための、上記のチャネルと類似のチャネル（図示せず）を含むことができる。
【００４７】
レンズ部品９００は、少なくとも１つの取り付け機能９０８をさらに含むことができる。保管アタッチメント機能９０８は、デバイスと接触して、保持しておよび／または受け入れるように構成されるレンズ部品９００に通常直交方向に沿って位置する開口、隆起、ボタンまたは他の構造を含むことができる。例えば、取り付け機能９０８は、レンズ９０２の一部を受け入れるように構成される開口を含むことができる。保管アタッチメント機能９０８は、リテーナ部分９０６上に置かれることができる。保管アタッチメント機能９０８は、図示のようにレンズ９０２および／または９０４を含むがこれに限らない複数の異なる大きさのレンズに取り付く（例えば、取り外し可能に取り付く）ことができる。保管アタッチメント機能９０８はまた、あるいは代わりに、レンズキャップ（図示せず）または他のタイプのデバイスに取り外し可能に取り付くこともできる。
【００４８】
いくつかの実施形態では、保管アタッチメント機能９０８によって、１つ以上のデバイス（例えばレンズ）は、使用のために必要となるまで、レンズ部品９００の側部に沿って保管されることができておよび／または担持されることができる。デバイスが使用のために必要となるとき、デバイスは、保管アタッチメント機能９０８から取り外されることができて、レンズ部品９００の異なる領域に沿って取り付けられることができる。例えば、実施形態によっては、図１９Ａに示すように、レンズ９０２は、リテーナ部分９０６に沿って開口９１０から取り外されることができる。開口９１０は、通常、レンズ９０２を保持するためのねじまたは他の構造を含むことができる。一旦取り外されると、レンズ９０２は、図１９Ｂに示すように、レンズ部品９００の側部に沿って保管アタッチメント機能９０８に取り付けられることができる。このとき、異なるレンズは、次いで、必要に応じて開口９１０内に挿入されることができる。一旦レンズ９０２が再び必要になると、レンズ９０２は、保管アタッチメント機能９０８から取り外されることができて、再び開口９１０内へと戻されることができる。
【００４９】
図２０〜図２２は、人にキャリーされるアクセサリ（例えばキー、ネックレス、ブレスレットまたは他のデバイス）とともに用いられるレンズシステム１０００の実施例を示す。レンズシステム１０００は、レンズ部品１００２を含むことができる。レンズ部品１００２は、本明細書に記載されるレンズ部品のいずれかと類似してまたは同一でありえる。例えば、レンズ部品１００２は、レンズ部品４００または４００ａと類似していることができる。レンズ部品１００２は、同じリテーナ部分１００８に取り付けられる１つ以上のレンズ１００４、１００６を含むことができる。リテーナ部分１００８は、本明細書に例示されて記載される他のリテーナ部分のさまざまな特徴を含むことができる。例えば、リテーナ部分１００８は、チャネル１０１０を含むことができる。
【００５０】
レンズシステム１０００は、取り付け部品（例えばプラグ１０１２）を含むことができる。取り付け部品は、人キャリア・アクセサリ上にとどまるかまたはそれに接続されるように構成されることができる。その一方で、レンズ部品１００２は、使用の間、選択的に分離されることができる。プラグ１０１２は、チャネル１０１０によって受け入れられるようにサイズ設定されることができて、形づくられることができる。プラグ１０１２は、１つ以上のアクセサリ・アタッチメント機能１０１４を含むことができる。アクセサリ・アタッチメント機能１０１４は、例えば、プラグ１０１２の残りから突出する小さいリングまたはハーフリングを含むことができる。アクセサリ・アタッチメント機能１０１４は、一組のキー１０１６、ネックレス１０１８、ブレスレット１０２０または他の任意の類似のデバイスに取り付けられることができる。
【００５１】
レンズシステム１０００によって、ユーザは、簡単かつ便利な方法で、自分とともにレンズ部品１００２を着用しておよび／または持ち運ぶことができる。レンズ部品１００２は、プラグ１０１２から迅速に取り外されることができて、通信装置（例えば本明細書に記載される通信装置の１つ）とともに用いられることができて、次いで、ユーザが一旦使用した後、プラグ１０１２および／または、（図２０に示すように）キー１０１６に、（図２１に示すように）ネックレス１０１８に、（図２２に示すように）ブレスレット１０２０、などに、再び戻されることができる。
【００５２】
図２３Ａ〜図２３Ｅは、レンズフレアを減らして、レンズを保護するために用いることのできるレンズシステム１１００の実施例を示す。レンズシステム１１００は、レンズ部品１１０２を含むことができる。レンズ部品１１０２は、本明細書に記載されるレンズ部品と類似するかまたは同一である構造を含むことができる。例えば、レンズ部品１１０２は、レンズ部品１１０と類似していることができる。レンズ部品１１０２は、同じリテーナ部分１１０６に取り付けられる１つ以上のレンズ１１０４を含むことができる。リテーナ部分１１０６は、本明細書に例示されて記載される他のリテーナ部分のさまざまな特徴を含むことができる。例えば、リテーナ部分１１０６は、チャネル（図示せず）を含むことができる。
【００５３】
レンズシステム１１００は、レンズフード１１０８をさらに含むことができる。レンズフード１１０８は、レンズ部品１１０２に取り付くように構成される別のピース（ｐｉｅｃｅ）でありえる。レンズフード１１０８は、レンズ１１０４全体を嵌合するように構成される開口１１１０を備えることができる。レンズフード１１０８は、開口１１１０から離れて延びるフレア部１１１２、１１１４を備えることができる。レンズフレアを減らすために、フレア部１１１２、１１１４は、レンズ１１０４に保護を提供するように構成されることができる。
【００５４】
使用中、レンズフード１１０８は、例えば、レンズ１１０４の縁部１１１６全体のレンズフード１１０８の開口１１１０を単にスライドさせることによって、レンズ１１０４に取り外し可能に取り付けられることができる。他の接続メカニズムも可能であるが、レンズフード１１０８は、摩擦嵌合を介して正しい場所に保持されることができる。一旦取り付けられると、レンズフード１１０８をねじるかまたは回転させることによって、フレア部１１１２、１１１４は、要望どおりに配置されることができる。フレア部１１１２、１１１４は、次いで、レンズ１１０４が使用中である間、レンズ１１０４を保護することができる。一旦レンズ１１０４がもはや使用中でなくなると、レンズフード１１０８は、レンズ部品１１０２から取り外されることができて、図２３Ｃ〜図２３Ｅに示すように、１８０°回されることができて、レンズ１１０４全体を戻されることができる。この位置で、レンズフード１１０８は、将来の使用のために容易に保管されることができるだけでなく、レンズ１１０４および／またはレンズ部品１１０２を損傷および／または摩擦から保護するのを助けることもできる。
【００５５】
図２４Ａ〜図２４Ｄは、選択的に取り付け可能および取り外し可能なレンズ、または、複数の異なる選択的に取り付け可能および取り外し可能なスワップ可能なレンズを含むことができるレンズシステム１２００の実施例を示す。レンズシステム１２００は、レンズ部品１２０２を含むことができる。レンズ部品１２０２は、本明細書に記載されるレンズ部品のうちの１つと類似していることができる。例えば、レンズ部品１２０２は、レンズ部品１１０と類似していることができる。レンズ部品１２０２は、同じリテーナ部分１２０６に取り付けられる１つ以上のレンズ１２０４を含むことができる。リテーナ部分１２０６は、本明細書に例示されて記載される他のリテーナ部分のさまざまな特徴を含むことができる。例えば、リテーナ部分１２０６は、チャネル（図示せず）を含むことができる。
【００５６】
上述の通り、レンズシステム１２００は、レンズを交換する能力を含むことができる。したがって、レンズ部品１２０４は、リテーナ部分１２０６に着脱自在に取り付けられることができる。例えば、リテーナ部分１２０６は、レンズ取り付け部分１２０８を含むことができる。レンズ１２０４は、レンズ取り付け部分１２０８でリテーナ部分１２０６に着脱自在に取り付けられることができる。例えば、レンズ取り付け部分１２０８は、ねじを有する開口を備えることができる。そして、レンズ１２０４（または他のレンズ）は、開口１２０８にねじ込まれることができるか、あるいは、レンズは、開口１２０８にスナップ適合することができるか、または開口１２０８に単に押し込まれることができる。他の接続メカニズムも、可能である。例えば、レンズは、バヨネット・マウントを用いて一時的にロックされることができ、あるいは、磁気マウントまたは他の構造を用いることができる。
【００５７】
レンズシステム１２００は、１つ以上の追加レンズ部品（例えば第２のレンズ部品１２１０）をさらに含むことができる。いくつかの実施形態では、第２のレンズ部品１２１０は、レンズフード１２１４を有するレンズ１２１２を備えることができる。第２のレンズ部品１２１０は、レンズ１２０４と同様に、リテーナ部分１２０６に取り付くように構成される別のピースであることができる。例えば、第２のレンズ部品１２１０は、レンズ取り付け部分１２０８に取り付けられることができる。したがって、ユーザの好みに応じて、ユーザは、レンズ１２０４、フード１２１４を有するレンズ１２１２、またはレンズシステム１２００で用いる他のタイプのレンズを選択することができる。
【００５８】
図２５は、１つ以上の内部レンズ部品を含むレンズシステム１２００の実施例を示す。いくつかの実施形態では、レンズシステム１２００は、組み込み式レンズ部品１２１６を含むことができる。リテーナ部分１２０６または組み込み式レンズ部品１２１６は、接続部（例えば、上記のレンズ取り付け部分１２０８と類似していることのできるねじ部）を備えることができる。ねじ部は、レンズ（例えばレンズ１２０４）をリテーナ部分１２０６に着脱自在に取り付けるのを容易にすることができる。いくつかの実施形態では、リテーナ部分１２０６および／または組み込み式レンズ部品１２１６は、レンズ１２１８を含むことができる。図示のように、組み込み式レンズ部品１２１６は、通常、リテーナ部分１２０６の壁と平らになることができるか、またはその範囲内の差し込まれることができる。いくつかの実施形態では、レンズ１２１８は、少なくとも約４倍の拡大倍率によって画像を拡大するように構成されるマクロレンズであることができる。多くの異なる拡大倍率は、可能である。いくつかの実施形態では、レンズ１２１８は、少なくとも約５倍の拡大倍率および／約１５倍の拡大倍率またはそれ未満、などの拡大倍率を適用するように構成されるマクロレンズであることができる。いくつかの実施形態では、複数のレンズは、例えばレバーまたは回転式アクチュエータ（例えば、サムホイール）を用いてレンズ間の距離の操作ができるようにすることによって、可変の光学拡大倍率（例えば、ズーム機能）を提供するように構成されることができる。
【００５９】
本発明が特定の好適な実施形態および実施例の文脈において開示されたにもかかわらず、本発明が特に開示された実施形態を越えて、本発明の他の代替の実施形態および／または使用ならびにその明らかな修正および等価物まで伸びることは、当業者によってよく理解されるであろう。実施形態の特定の特徴および態様のさまざまな組み合わせまたは副組み合わせが作られてよく、そしてまだ本発明の範囲内になってよいことも考慮される。したがって、開示された発明のさまざまなモードを形成するために、開示された実施形態のさまざまな特徴および態様が互いに結合されることができ、または互いに置き換えられることができることを理解すべきである。
【図１Ａ】
0005886881.tif 000002
【図１Ｂ】
0005886881.tif 000003
【図１Ｃ】
0005886881.tif 000004
【図１Ｄ】
0005886881.tif 000005
【図１Ｅ】
0005886881.tif 000006
【図１Ｆ】
0005886881.tif 000007
【図１Ｇ】
0005886881.tif 000008
【図１Ｈ】
0005886881.tif 000009
【図１Ｉ】
0005886881.tif 000010
【図２Ａ】
0005886881.tif 000011
【図２Ｂ】
0005886881.tif 000012
【図３Ａ】
0005886881.tif 000013
【図３Ｂ】
0005886881.tif 000014
【図４Ａ】
0005886881.tif 000015
【図４Ｂ】
0005886881.tif 000016
【図５Ａ】
0005886881.tif 000017
【図５Ｂ】
0005886881.tif 000018
【図６Ａ】
0005886881.tif 000019
【図６Ｂ】
0005886881.tif 000020
【図７Ａ】
0005886881.tif 000021
【図７Ｂ】
0005886881.tif 000022
【図７Ｃ】
0005886881.tif 000023
【図７Ｄ】
0005886881.tif 000024
【図７Ｅ】
0005886881.tif 000025
【図７Ｆ】
0005886881.tif 000026
【図７Ｇ】
0005886881.tif 000027
【図７Ｈ】
0005886881.tif 000028
【図７Ｉ】
0005886881.tif 000029
【図８Ａ】
0005886881.tif 000030
【図８Ｂ】
0005886881.tif 000031
【図８Ｃ】
0005886881.tif 000032
【図８Ｄ】
0005886881.tif 000033
【図８Ｅ】
0005886881.tif 000034
【図８Ｆ】
0005886881.tif 000035
【図８Ｇ】
0005886881.tif 000036
【図８Ｈ】
0005886881.tif 000037
【図８Ｉ】
0005886881.tif 000038
【図９Ａ】
0005886881.tif 000039
【図９Ｂ】
0005886881.tif 000040
【図９Ｃ】
0005886881.tif 000041
【図９Ｄ】
0005886881.tif 000042
【図９Ｅ】
0005886881.tif 000043
【図１０Ａ】
0005886881.tif 000044
【図１０Ｂ】
0005886881.tif 000045
【図１０Ｃ】
0005886881.tif 000046
【図１１Ａ】
0005886881.tif 000047
【図１１Ｂ】
0005886881.tif 000048
【図１１Ｃ】
0005886881.tif 000049
【図１１Ｄ】
0005886881.tif 000050
【図１１Ｅ】
0005886881.tif 000051
【図１１Ｆ】
0005886881.tif 000052
【図１２】
0005886881.tif 000053
【図１３Ａ】
0005886881.tif 000054
【図１３Ｂ】
0005886881.tif 000055
【図１３Ｃ】
0005886881.tif 000056
【図１４Ａ】
0005886881.tif 000057
【図１４Ｂ】
0005886881.tif 000058
【図１５Ａ】
0005886881.tif 000059
【図１５Ｂ】
0005886881.tif 000060
【図１６Ａ】
0005886881.tif 000061
【図１６Ｂ】
0005886881.tif 000062
【図１６Ｃ】
0005886881.tif 000063
【図１６Ｄ】
0005886881.tif 000064
【図１６Ｅ】
0005886881.tif 000065
【図１６Ｆ】
0005886881.tif 000066
【図１７Ａ】
0005886881.tif 000067
【図１７Ｂ】
0005886881.tif 000068
【図１８Ａ】
0005886881.tif 000069
【図１８Ｂ】
0005886881.tif 000070
【図１８Ｃ】
0005886881.tif 000071
【図１９Ａ】
0005886881.tif 000072
【図１９Ｂ】
0005886881.tif 000073
【図１９Ｃ】
0005886881.tif 000074
【図２０】
0005886881.tif 000075
【図２１】
0005886881.tif 000076
【図２２】
0005886881.tif 000077
【図２３Ａ】
0005886881.tif 000078
【図２３Ｂ】
0005886881.tif 000079
【図２３Ｃ】
0005886881.tif 000080
【図２３Ｄ】
0005886881.tif 000081
【図２３Ｅ】
0005886881.tif 000082
【図２４Ａ】
0005886881.tif 000083
【図２４Ｂ】
0005886881.tif 000084
【図２４Ｃ】
0005886881.tif 000085
【図２４Ｄ】
0005886881.tif 000086
【図２５】
0005886881.tif 000087